(57)【特許請求の範囲】
【請求項１】
光源ランプから射出された光を変調して投写するプロジェクターであって、
前記光源ランプを駆動する光源駆動部と、
前記プロジェクターを統括制御するメインＣＰＵと、
前記光源駆動部を制御するサブＣＰＵと、を備え、
前記メインＣＰＵは前記サブＣＰＵとの間で第１の通信を行い、
前記サブＣＰＵは前記光源駆動部との間で第２の通信を行い、前記光源駆動部から第１の異常情報を前記第２の通信によって受信した場合、前記光源ランプを消灯させるためのランプ消灯依頼を前記第２の通信によって前記光源駆動部に送信し、前記第１の異常情報を前記第１の通信によって前記メインＣＰＵに送信することを特徴とするプロジェクター。
【請求項２】
請求項１に記載のプロジェクターであって、
前記サブＣＰＵは、前記光源駆動部から第２の異常情報を前記第２の通信によって受信した場合、前記光源駆動部の動作を停止させるための光源駆動停止依頼を前記第２の通信によって前記光源駆動部に送信し、前記第２の異常情報を前記第１の通信によって前記メインＣＰＵに送信することを特徴とするプロジェクター。
【請求項３】
請求項２に記載のプロジェクターであって、
前記サブＣＰＵの制御に基づいて前記光源駆動部に電力を供給する電源回路をさらに有し、
前記サブＣＰＵは、前記光源駆動部に前記光源駆動停止依頼を送信した後、所定の時間が経過しても、前記光源駆動部から動作の停止を完了した旨を表す光源駆動停止完了応答を受信しなかった場合に、前記電源回路に前記光源駆動部への電力の供給を停止させることを特徴とするプロジェクター。
【請求項４】
請求項１乃至３のいずれか一項に記載のプロジェクターであって、
前記サブＣＰＵが、前記光源駆動部に前記光源ランプを点灯させるためのランプ点灯依頼を前記第２の通信によって送信した後に、前記光源駆動部から前記光源ランプの点灯に失敗した旨を表す点灯失敗応答を前記第２の通信によって受信した場合、
前記サブＣＰＵは、前記光源駆動部に前記ランプ点灯依頼を前記第２の通信によって再度送信することを特徴とするプロジェクター。
【請求項５】
光源ランプと、前記光源ランプを駆動する光源駆動部と、プロジェクターを統括制御するメインＣＰＵと、前記光源駆動部を制御するサブＣＰＵと、を備え、前記メインＣＰＵは前記サブＣＰＵとの間で第１の通信を行い、前記サブＣＰＵは前記光源駆動部との間で第２の通信を行い、前記光源ランプから射出された光を変調して投写するプロジェクターの制御方法であって、
前記サブＣＰＵが、前記光源駆動部から第１の異常情報を前記第２の通信によって受信する異常受信ステップと、
前記異常受信ステップによって前記第１の異常情報を受信した場合、前記サブＣＰＵは、前記光源駆動部に前記光源ランプを消灯させるためのランプ消灯依頼を前記第２の通信によって送信し、前記第１の異常情報を前記第１の通信によって前記メインＣＰＵに送信するランプ消灯ステップと、
を備えることを特徴とするプロジェクターの制御方法。
【請求項６】
光源ランプと、前記光源ランプを駆動する光源駆動部と、プロジェクターを統括制御するメインＣＰＵと、前記光源駆動部を制御するサブＣＰＵと、を備え、前記メインＣＰＵは前記サブＣＰＵとの間で第１の通信を行い、前記サブＣＰＵは前記光源駆動部との間で第２の通信を行い、前記光源ランプから射出された光を変調して投写するプロジェクターの制御方法であって、
前記サブＣＰＵが、前記光源駆動部から第２の異常情報を前記第２の通信によって受信する異常受信ステップと、
前記異常受信ステップによって前記第２の異常情報を受信した場合、前記サブＣＰＵは、前記光源駆動部に前記光源駆動部の動作を停止させるための光源駆動停止依頼を前記第２の通信によって送信し、前記第２の異常情報を前記第１の通信によって前記メインＣＰＵに送信する光源駆動停止ステップと、
を備えることを特徴とするプロジェクターの制御方法。
【発明の詳細な説明】
【技術分野】
【０００１】
本発明は、プロジェクター、およびプロジェクターの制御方法に関する。
【背景技術】
【０００２】
従来、バラストユニットを駆動して光源ランプを点灯するプロジェクターでは、装置全体を制御するＣＰＵ（Central Processing Unit）を備えており、このＣＰＵがバラストユニットと通信を行っている。そして、バラストユニットは、ＣＰＵからの通信指示に基づいて光源ランプを駆動して制御している。例えば、特許文献１では、装置全体を制御するメインＣＰＵからの動作停止信号（指示）を受信すると、バラストユニットは、バラストユニット内の各部の動作を停止させ、ランプ点灯を停止するプロジェクターが開示されている。
【先行技術文献】
【特許文献】
【０００３】
【特許文献１】特開２００５−１２８４０２号公報
【発明の概要】
【発明が解決しようとする課題】
【０００４】
しかしながら、プロジェクターの装置全体を制御するＣＰＵがバラストユニットと通信を行って、バラストユニットおよび光源ランプの制御や監視等を行うと、ＣＰＵに負荷が掛かり、他の処理に影響が生じる可能性があった。また、バラストユニットや光源ランプに異常が発生した際には、直ちにバラストユニットを停止したり光源ランプを消灯したりしたい場合があるが、ＣＰＵが他の処理を行っていると、バラストユニットや光源ランプを直ちに停止（消灯）できない可能性があった。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、光源ランプから射出された光を変調して投写するプロジェクターであって、前記光源ランプを駆動する光源駆動部と、前記プロジェクターを統括制御するメインＣＰＵと、前記光源駆動部を制御するサブＣＰＵと、を備え、前記メインＣＰＵは前記サブＣＰＵとの間で第１の通信を行い、前記サブＣＰＵは前記光源駆動部との間で第２の通信を行うことを特徴とする。
【０００７】
このようなプロジェクターによれば、光源駆動部は光源ランプを駆動する。メインＣＰＵは、プロジェクターを統括制御する。サブＣＰＵは、光源駆動部を制御する。そして、メインＣＰＵはサブＣＰＵとの間で第１の通信を行い、サブＣＰＵは光源駆動部との間で第２の通信を行う。これにより、光源駆動部の制御はサブＣＰＵが独立して行うことができるため、メインＣＰＵの処理の負荷を低減することができる。
【０００８】
［適用例２］上記適用例に係るプロジェクターにおいて、前記サブＣＰＵは、前記光源駆動部から第１の異常情報を前記第２の通信によって受信した場合、前記光源ランプを消灯させるためのランプ消灯依頼を前記第２の通信によって前記光源駆動部に送信し、前記第１の異常情報を前記第１の通信によって前記メインＣＰＵに送信することを特徴とする。
【０００９】
このようなプロジェクターによれば、サブＣＰＵは、光源駆動部から第１の異常情報を受信した場合、光源ランプを消灯させるためのランプ消灯依頼を光源駆動部に送信する。これにより、光源ランプに異常が発生した際には、光源ランプを直ちに消灯することができる。例えば、メインＣＰＵが他の処理を行っていても、サブＣＰＵが光源ランプを直ちに消灯することが可能になる。
【００１０】
［適用例３］上記適用例に係るプロジェクターにおいて、前記サブＣＰＵは、前記光源駆動部から第２の異常情報を前記第２の通信によって受信した場合、前記光源駆動部の動作を停止させるための光源駆動停止依頼を前記第２の通信によって前記光源駆動部に送信し、前記第２の異常情報を前記第１の通信によって前記メインＣＰＵに送信することを特徴とする。
【００１１】
このようなプロジェクターによれば、サブＣＰＵは、光源駆動部から第２の異常情報を受信した場合、光源駆動部の動作を停止させるための光源駆動停止依頼を光源駆動部に送信する。これにより、光源駆動部に異常が発生した際には、光源駆動部を直ちに停止することができる。例えば、メインＣＰＵが他の処理を行っていても、サブＣＰＵが光源駆動部を直ちに停止することが可能になる。
【００１２】
［適用例４］上記適用例に係るプロジェクターにおいて、前記サブＣＰＵの制御に基づいて前記光源駆動部に電力を供給する電源回路をさらに有し、前記サブＣＰＵは、前記光源駆動部に前記光源駆動停止依頼を送信した後、所定の時間が経過しても、前記光源駆動部から動作の停止を完了した旨を表す光源駆動停止完了応答を受信しなかった場合に、前記電源回路に前記光源駆動部への電力の供給を停止させることを特徴とする。
【００１３】
このようなプロジェクターによれば、サブＣＰＵは、光源駆動部に光源駆動停止依頼を送信した後、所定の時間が経過しても、光源駆動停止完了応答を受信しなかった場合に、電源回路に光源駆動部への電力の供給を停止させる。これにより、光源駆動部内の異常のため、通信による光源駆動部の動作の停止ができない場合にも、光源駆動部を停止することが可能になる。
【００１４】
［適用例５］上記適用例に係るプロジェクターにおいて、前記サブＣＰＵが、前記光源駆動部に前記光源ランプを点灯させるためのランプ点灯依頼を前記第２の通信によって送信した後に、前記光源駆動部から前記光源ランプの点灯に失敗した旨を表す点灯失敗応答を前記第２の通信によって受信した場合、前記サブＣＰＵは、前記光源駆動部に前記ランプ点灯依頼を前記第２の通信によって再度送信することを特徴とする。
【００１５】
このようなプロジェクターによれば、サブＣＰＵが、光源駆動部に光源ランプを点灯させるためのランプ点灯依頼を送信した後に、光源駆動部から点灯失敗応答を受信した場合、サブＣＰＵは、光源駆動部にランプ点灯依頼を再度送信する。これにより、光源ランプの点灯に失敗した場合に、直ちに再点灯を試みることができる。例えば、メインＣＰＵが他の処理を行っていても、サブＣＰＵが光源ランプの再点灯を行うことが可能になる。
【００１６】
［適用例６］本適用例に係るプロジェクターの制御方法は、光源ランプと、前記光源ランプを駆動する光源駆動部と、プロジェクターを統括制御するメインＣＰＵと、前記光源駆動部を制御するサブＣＰＵと、を備え、前記メインＣＰＵは前記サブＣＰＵとの間で第１の通信を行い、前記サブＣＰＵは前記光源駆動部との間で第２の通信を行い、前記光源ランプから射出された光を変調して投写するプロジェクターの制御方法であって、前記サブＣＰＵが、前記光源駆動部から第１の異常情報を前記第２の通信によって受信する異常受信ステップと、前記異常受信ステップによって前記第１の異常情報を受信した場合、前記サブＣＰＵは、前記光源駆動部に前記光源ランプを消灯させるためのランプ消灯依頼を前記第２の通信によって送信し、前記第１の異常情報を前記第１の通信によって前記メインＣＰＵに送信するランプ消灯ステップと、を備えることを特徴とする。
【００１７】
このようなプロジェクターの制御方法によれば、サブＣＰＵは、光源駆動部から第１の異常情報を受信した場合、光源ランプを消灯させるためのランプ消灯依頼を光源駆動部に送信する。これにより、光源ランプに異常が発生した際には、光源ランプを直ちに消灯することができる。
【００１８】
［適用例７］本適用例に係るプロジェクターの制御方法は、光源ランプと、前記光源ランプを駆動する光源駆動部と、プロジェクターを統括制御するメインＣＰＵと、前記光源駆動部を制御するサブＣＰＵと、を備え、前記メインＣＰＵは前記サブＣＰＵとの間で第１の通信を行い、前記サブＣＰＵは前記光源駆動部との間で第２の通信を行い、前記光源ランプから射出された光を変調して投写するプロジェクターの制御方法であって、前記サブＣＰＵが、前記光源駆動部から第２の異常情報を前記第２の通信によって受信する異常受信ステップと、前記異常受信ステップによって前記第２の異常情報を受信した場合、前記サブＣＰＵは、前記光源駆動部に前記光源駆動部の動作を停止させるための光源駆動停止依頼を前記第２の通信によって送信し、前記第２の異常情報を前記第１の通信によって前記メインＣＰＵに送信する光源駆動停止ステップと、を備えることを特徴とする。
【００１９】
このようなプロジェクターの制御方法によれば、サブＣＰＵは、光源駆動部から第２の異常情報を受信した場合、光源駆動部の動作を停止させるための光源駆動停止依頼を光源駆動部に送信する。これにより、光源駆動部に異常が発生した際には、光源駆動部を直ちに停止することができる。
【００２０】
また、上述したプロジェクターおよびその制御方法がプロジェクターに備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやハードディスク、ＣＤ−ＲＯＭ（Compact Disk Read Only Memory）、ＤＶＤ（Digital Versatile Disk）、光磁気ディスク、不揮発性メモリーカード、プロジェクターの内部記憶装置（ＲＡＭ（Random Access Memory）やＲＯＭ（Read Only Memory）等の半導体メモリー）、及び外部記憶装置（ＵＳＢ（Universal Serial Bus）メモリー等）等、前記コンピューターが読み取り可能な種々の媒体を利用することができる。
【図面の簡単な説明】
【００２１】
【図１】実施形態に係るプロジェクターの概略構成を示すブロック図。
【図２】プロジェクターのバラストユニットの内部構成を示すブロック図。
【図３】プロジェクターのランプ異常発生時のシーケンス図。
【図４】プロジェクターのバラスト異常発生時のシーケンス図。
【図５】プロジェクターのバラスト異常発生時にバラストユニットの電源を遮断する場合のシーケンス図。
【図６】プロジェクターのランプ点灯リトライ時のシーケンス図。
【発明を実施するための形態】
【００２２】
以下、実施形態について説明する。
【００２３】
（実施形態）
本実施形態では、光源ランプが異常状態となった場合や、光源駆動部としてのバラストユニットが異常状態となった場合に、光源ランプを直ちに消灯したり、バラストユニットを直ちに停止したりするプロジェクターについて説明する。
【００２４】
図１は、本実施形態に係るプロジェクターの概略構成を示すブロック図である。図１を使用して、プロジェクター１の内部構成について説明する。
【００２５】
プロジェクター１は、画像投写部１０、制御部２０、操作受付部２１、報知部２２、電源回路２３、バラストユニット３０、画像信号入力部４０、画像処理部４１等を備えている。
【００２６】
画像投写部１０は、超高圧水銀ランプやメタルハライドランプ等からなる放電型の光源ランプ１１と、光変調装置としての液晶ライトバルブ１２と、投写レンズ１３と、液晶ライトバルブ１２を駆動するライトバルブ駆動部１４とを備えている。
【００２７】
液晶ライトバルブ１２は、一対の透明基板間に液晶が封入された透過型液晶パネル等によって構成される。ライトバルブ駆動部１４の駆動によって、液晶ライトバルブ１２の各画素に画像信号に応じた駆動電圧が印加されると、各画素は、画像信号に応じた光透過率で光源光を透過させる。
【００２８】
光源ランプ１１から射出された光は、この液晶ライトバルブ１２を透過することによって変調され、変調後の光が投写レンズ１３によって投写されることにより、スクリーンＳＣ等に画像信号に応じた画像が表示される。
【００２９】
制御部２０は、メインＣＰＵ２０ａおよびサブＣＰＵ２０ｂや、各種データの一時記憶等に用いられるＲＡＭ、マスクＲＯＭやフラッシュメモリー、ＦｅＲＡＭ（Ferroelectric RAM：強誘電体メモリー）等の不揮発性のメモリー等（いずれも図示せず）を備え、コンピューターとして機能するものである。制御部２０は、メインＣＰＵ２０ａが不揮発性のメモリーに記憶されている制御プログラムに従って動作することにより、プロジェクター１の動作を統括制御する。また、サブＣＰＵ２０ｂが不揮発性のメモリーに記憶されているプログラムに従って動作することにより、メインＣＰＵ２０ａの制御を補助する。さらに、サブＣＰＵ２０ｂは、バラストユニット３０を制御する。
【００３０】
メインＣＰＵ２０ａとサブＣＰＵ２０ｂとは、ＵＡＲＴ（Universal Asynchronous Receiver Transmitter）で接続されており、互いに通信可能となっている。このメインＣＰＵ２０ａとサブＣＰＵ２０ｂとのＵＡＲＴによる通信が、第１の通信に相当する。また、サブＣＰＵ２０ｂとバラストユニット３０とは、ＵＡＲＴで接続されており、互いに通信可能となっている。このサブＣＰＵ２０ｂとバラストユニット３０とのＵＡＲＴによる通信が、第２の通信に相当する。
【００３１】
操作受付部２１は、プロジェクター１に対する各種の入力操作を受け付けるための複数のキー等を備えている。操作受付部２１が備えるキーとしては、電源のオン／オフを行うための「電源キー」や、入力ソースを切り換えるための「入力切換キー」、各種設定を行うためのメニュー画面の表示／非表示を切り換える「メニューキー」、メニュー画面におけるカーソルの移動に用いられる「カーソルキー」、各種設定を決定するための「決定キー」等がある。
【００３２】
ユーザーが操作受付部２１を操作すると、操作受付部２１は、ユーザーの操作内容に応じた操作信号を制御部２０のサブＣＰＵ２０ｂに出力する。そして、サブＣＰＵ２０ｂが、操作信号に対応した押下通知をメインＣＰＵ２０ａに送信する。なお、操作受付部２１は、リモコン信号受信部（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信部がこれを受信してサブＣＰＵ２０ｂに伝達する。
【００３３】
報知部２２は、ＬＥＤ（Light Emitting Diode）を有して構成されている。報知部２２は、制御部２０のサブＣＰＵ２０ｂからの指示に基づいて、ＬＥＤを点灯したり消灯したりすることで、プロジェクター１の光源ランプ１１の異常状態やバラストユニット３０の異常状態をユーザーに報知する。
【００３４】
電源回路２３は、ＡＣ１００Ｖ等の商用電源を入力して、プロジェクター１の各種動作に必要な直流の電源電圧、および、バラストユニット３０を動作させるための直流の電源電圧を生成する。
【００３５】
バラストユニット３０は、光源ランプ１１を点灯駆動させる装置である。
図２は、プロジェクター１のバラストユニット３０の内部構成を示すブロック図である。図２を使用して、バラストユニット３０の内部構成について説明する。
【００３６】
バラストユニット３０は、ＥＭＩフィルター３１、ダウンコンバーター３２、インバーター回路３３、イグナイター回路３４等を備えている。さらに、バラストユニット３０は、バラスト制御部３５を備えている。
【００３７】
次に、バラストユニット３０の回路動作を説明する。
電源回路２３から入力された直流電圧は、バラストユニット３０で発生したノイズをカットするＥＭＩフィルター３１を経由して入力され、ダウンコンバーター３２によって降圧される。降圧された直流電流は、インバーター回路３３によって交流矩形波電流（光源ランプ駆動電力）に変換される。イグナイター回路３４は、光源ランプ１１の電極間の絶縁破壊を行って、光源ランプ１１の始動を促す。
【００３８】
一方、バラスト制御部３５は、バラスト制御ＩＣ、ＲＡＭ、ＲＯＭ（いずれも図示せず）等を有して構成されている。そして、バラスト制御部３５は、サブＣＰＵ２０ｂとＵＡＲＴ通信を行い、サブＣＰＵ２０ｂからの指示に基づいてバラストユニット３０を制御する。また、バラスト制御部３５は、サブＣＰＵ２０ｂからの依頼を受信すると、バラストユニット３０および光源ランプ１１の正常状態／異常状態の応答を行う。
【００３９】
光源ランプ１１の異常状態（以降、「ランプ異常」とも呼ぶ）としては、例えば、光源ランプ１１の端子電圧が所定の電圧値よりも高い状態である「ランプ電圧異常」、光源ランプ１１の端子電流が所定の電流値よりも高い状態である「ランプ電流異常」、光源ランプ１１の電極に入力する波形が所定の波形とは異なる状態である「ランプ駆動波形異常」等がある。
【００４０】
バラストユニット３０の異常状態（以降、「バラスト異常」とも呼ぶ）としては、例えば、バラスト内部の温度が規定値から外れている状態である「バラスト温度異常」、バラストユニット３０に印加される電圧が所定の値ではない状態である「バラスト電圧異常」、バラストユニット３０に印加される電流が所定の値ではない状態である「バラスト電流異常」等がある。さらに、バラストユニット３０の回路の部品に故障が検出された状態である「バラスト内部回路異常」、バラストユニット３０の内部のＩＣ用電源電圧が異常な状態である「ローカル電源異常」、バラストユニット３０の内部にあるサーミスターが異常な状態である「バラスト内部サーミスター異常」、バラストユニット３０の内部のＩＣがＲＯＭアクセスできない状態である「バラストＩＣ・ＲＯＭ異常」等がある。
【００４１】
図１に戻り、画像信号入力部４０には、パーソナルコンピューターやビデオ再生装置、メモリーカード、ＵＳＢストレージ、デジタルカメラ等、外部の画像供給装置（図示せず）とケーブルを介した接続を行うための各種の画像入力端子が備えられており、画像供給装置から画像信号が入力される。画像信号入力部４０は、入力される画像信号を、画像処理部４１で処理可能な形式の画像データに変換して、画像処理部４１に出力する。
【００４２】
画像処理部４１は、制御部２０のメインＣＰＵ２０ａの指示に基づいて、画像信号入力部４０から入力される画像データに対して、明るさ、コントラスト、シャープネス、色合い等の調整や、ガンマ補正等の各種画質調整を施す。さらに、画像処理部４１では、必要に応じてＯＳＤ（オンスクリーンディスプレイ）画像を画像データに重畳する処理を行う。画像処理部４１は、このような調整および処理を行った画像データをライトバルブ駆動部１４に出力する。
【００４３】
ライトバルブ駆動部１４が、画像処理部４１から入力される画像データに従って液晶ライトバルブ１２を駆動すると、液晶ライトバルブ１２は、画像データに応じた画像を形成し、この画像が投写レンズ１３から投写される。
【００４４】
次に、プロジェクター１のメインＣＰＵ２０ａ、サブＣＰＵ２０ｂ、およびバラストユニット３０のシーケンスについて説明する。まず、プロジェクター１のランプ異常発生時のシーケンスについて説明する。
図３は、本実施形態に係るプロジェクター１のランプ異常発生時のシーケンス図である。
【００４５】
プロジェクター１の電源がオフの状態において、操作受付部２１に備わる電源キーが押下されると、サブＣＰＵ２０ｂは、電源キーの押下通知をメインＣＰＵ２０ａに送信する（ステップＳ１０１）。電源キーの押下通知を受信すると、メインＣＰＵ２０ａは、光源ランプ１１を点灯するように、ランプ点灯要求をサブＣＰＵ２０ｂに送信する（ステップＳ１０２）。サブＣＰＵ２０ｂは、ランプ点灯要求に対する応答をメインＣＰＵ２０ａに送信する（ステップＳ１０３）。
【００４６】
サブＣＰＵ２０ｂは、ランプ点灯依頼をバラストユニット３０に送信する（ステップＳ１０４）。ランプ点灯依頼を受信すると、バラストユニット３０は、光源ランプ１１を点灯させる（ステップＳ１０５）。そして、光源ランプ１１の点灯に成功すると、バラストユニット３０は、点灯成功応答をサブＣＰＵ２０ｂに送信する（ステップＳ１０６）。そして、サブＣＰＵ２０ｂは、ランプ点灯完了通知をメインＣＰＵ２０ａに送信する（ステップＳ１０７）。
【００４７】
メインＣＰＵ２０ａは、光源ランプ１１およびバラストユニット３０を監視するためのランプ監視要求をサブＣＰＵ２０ｂに送信する（ステップＳ１０８）。サブＣＰＵ２０ｂは、ランプ監視要求に対する応答をメインＣＰＵ２０ａに送信する（ステップＳ１０９）。
【００４８】
以降、サブＣＰＵ２０ｂは、光源ランプ１１およびバラストユニット３０の状態を監視するために、定期的に状態送信依頼をバラストユニット３０に送信し、その応答としてバラストユニット３０から、光源ランプ１１およびバラストユニット３０の状態を受信する。
図３では、サブＣＰＵ２０ｂは、状態送信依頼をバラストユニット３０に送信する（ステップＳ１１０）。そして、バラストユニット３０は、異常なし応答をサブＣＰＵ２０ｂに送信する（ステップＳ１１１）。一定の時間が経過した後、再度、サブＣＰＵ２０ｂは、状態送信依頼をバラストユニット３０に送信する（ステップＳ１１２）。そして、バラストユニット３０は、異常なし応答をサブＣＰＵ２０ｂに送信する（ステップＳ１１３）。このように、サブＣＰＵ２０ｂは、光源ランプ１１およびバラストユニット３０の状態監視を行い続ける。なお、一定の時間は、例えば１秒とするが、これに限定するものではない。
【００４９】
図３に示すタイミングで、ランプ異常が発生（イベントＥ１）した場合に、サブＣＰＵ２０ｂが、状態送信依頼をバラストユニット３０に送信すると（ステップＳ１１４）、バラストユニット３０は、ランプ異常応答をサブＣＰＵ２０ｂに送信する（ステップＳ１１５）。このランプ異常応答が第１の異常情報に相当する。本実施形態では、ランプ異常は、例えば「ランプ電圧異常」とする。
【００５０】
ランプ異常応答を受信すると、サブＣＰＵ２０ｂは、光源ランプ１１を消灯するためにランプ消灯依頼をバラストユニット３０に送信する（ステップＳ１１６）。ランプ消灯依頼を受信すると、バラストユニット３０は、光源ランプ１１を消灯させる（ステップＳ１１７）。そして、バラストユニット３０は、光源ランプ１１の消灯が完了したことを示すランプ消灯完了応答をサブＣＰＵ２０ｂに送信する（ステップＳ１１８）。
【００５１】
ランプ消灯完了応答を受信すると、サブＣＰＵ２０ｂは、光源ランプ１１に異常が発生したことを示すランプ異常発生通知をメインＣＰＵ２０ａに送信する（ステップＳ１１９）。そして、サブＣＰＵ２０ｂは、報知部２２のＬＥＤによって、光源ランプ１１の異常を報知する（ステップＳ１２０）。
【００５２】
このように、プロジェクター１のランプ異常発生時には、サブＣＰＵ２０ｂがランプ消灯依頼をバラストユニット３０に送信することによって、光源ランプ１１を消灯させる。
【００５３】
次に、プロジェクター１のバラスト異常発生時のシーケンスについて説明する。
図４は、本実施形態に係るプロジェクター１のバラスト異常発生時のシーケンス図である。
【００５４】
ステップＳ２０１からステップＳ２１３までのシーケンスは、図３のステップＳ１０１からステップＳ１１３までのシーケンスと同様である。よって、説明は省略する。
【００５５】
バラスト異常が発生（イベントＥ２）した状態で、サブＣＰＵ２０ｂが、状態送信依頼をバラストユニット３０に送信すると（ステップＳ２１４）、バラストユニット３０は、バラスト異常応答をサブＣＰＵ２０ｂに送信する（ステップＳ２１５）。このバラスト異常応答が第２の異常情報に相当する。本実施形態では、バラスト異常は、例えば「バラスト電圧異常」とする。
【００５６】
バラスト異常応答を受信すると、サブＣＰＵ２０ｂは、バラストユニット３０を停止するためにバラスト停止依頼をバラストユニット３０に送信する（ステップＳ２１６）。ここで、バラスト停止依頼が光源駆動停止依頼に相当する。バラスト停止依頼を受信すると、バラストユニット３０は、バラストユニット３０の回路動作を停止させる（ステップＳ２１７）。具体的には、バラスト制御部３５が、ＥＭＩフィルター３１や、ダウンコンバーター３２、インバーター回路３３、イグナイター回路３４等の回路動作を停止させる。なお、バラスト制御部３５は、全ての回路動作を停止させず、一部の回路動作を停止させるものとしてもよい。
【００５７】
そして、バラストユニット３０は、バラストユニット３０の停止が完了したことを示すバラスト停止完了応答をサブＣＰＵ２０ｂに送信する（ステップＳ２１８）。ここで、バラスト停止完了応答が光源駆動停止完了応答に相当する。
【００５８】
バラスト停止完了応答を受信すると、サブＣＰＵ２０ｂは、バラストユニット３０に異常が発生したことを示すバラスト異常発生通知をメインＣＰＵ２０ａに送信する（ステップＳ２１９）。そして、サブＣＰＵ２０ｂは、報知部２２のＬＥＤによって、バラストユニット３０の異常を報知する（ステップＳ２２０）。
【００５９】
このように、プロジェクター１のバラスト異常発生時には、サブＣＰＵ２０ｂがバラスト停止依頼をバラストユニット３０に送信することによって、バラストユニット３０の動作を停止させる。
【００６０】
次に、プロジェクター１のバラスト異常発生時にバラストユニット３０の電源を遮断する場合のシーケンスについて説明する。
図５は、本実施形態に係るプロジェクター１のバラスト異常発生時にバラストユニット３０の電源を遮断する場合のシーケンス図である。
【００６１】
ステップＳ３０１からステップＳ３１３までのシーケンスは、図３のステップＳ１０１からステップＳ１１３までのシーケンスと同様である。また、図４のステップＳ２０１からステップＳ２１３までのシーケンスとも同様である。よって、説明は省略する。
【００６２】
バラスト異常が発生（イベントＥ３）した状態で、サブＣＰＵ２０ｂが、状態送信依頼をバラストユニット３０に送信すると（ステップＳ３１４）、バラストユニット３０は、バラスト異常応答をサブＣＰＵ２０ｂに送信する（ステップＳ３１５）。本実施形態では、バラスト異常は、例えば「バラスト電圧異常」とする。
【００６３】
バラスト異常応答を受信すると、サブＣＰＵ２０ｂは、バラストユニット３０を停止するためにバラスト停止依頼をバラストユニット３０に送信する（ステップＳ３１６）。ここで、バラストユニット３０から所定の時間が経過（イベントＥ４）しても、バラスト停止完了応答を受信できなかった場合、サブＣＰＵ２０ｂは、電源回路２３に指示を出してバラストユニット３０への電源供給を停止（遮断）させる（ステップＳ３１７）。なお、サブＣＰＵ２０ｂは、所定の時間を計測するためのタイマー（図示せず）を有している。また、所定の時間は、例えば５秒とするが、これに限定するものではない。
【００６４】
バラストユニット３０への電源供給を停止した後、サブＣＰＵ２０ｂは、バラストユニット３０に異常が発生したことを示すバラスト異常発生通知をメインＣＰＵ２０ａに送信する（ステップＳ３１８）。そして、サブＣＰＵ２０ｂは、報知部２２のＬＥＤによって、バラストユニット３０の異常を報知する（ステップＳ３１９）。
【００６５】
このように、プロジェクター１のバラスト異常発生時に、通信によってバラストユニット３０を停止できなかった場合には、サブＣＰＵ２０ｂは、電源回路２３に指示を出して、バラストユニット３０への電源供給を遮断させる。
【００６６】
次に、プロジェクター１がランプ点灯を失敗したときのリトライのシーケンスについて説明する。
図６は、本実施形態に係るプロジェクター１のランプ点灯リトライ時のシーケンス図である。
【００６７】
プロジェクター１の電源がオフの状態において、操作受付部２１に備わる電源キーが押下されると、サブＣＰＵ２０ｂは、電源キーの押下通知をメインＣＰＵ２０ａに送信する（ステップＳ４０１）。電源キーの押下通知を受信すると、メインＣＰＵ２０ａは、光源ランプ１１を点灯するように、ランプ点灯要求をサブＣＰＵ２０ｂに送信する（ステップＳ４０２）。サブＣＰＵ２０ｂは、ランプ点灯要求に対する応答をメインＣＰＵ２０ａに送信する（ステップＳ４０３）。
【００６８】
サブＣＰＵ２０ｂは、ランプ点灯依頼をバラストユニット３０に送信する（ステップＳ４０４）。ランプ点灯依頼を受信すると、バラストユニット３０は、光源ランプ１１を点灯させる（ステップＳ４０５）。ここで、光源ランプ１１の点灯に失敗すると、バラストユニット３０は、点灯失敗応答をサブＣＰＵ２０ｂに送信する（ステップＳ４０６）。点灯失敗応答を受信すると、サブＣＰＵ２０ｂは、再度、ランプ点灯依頼をバラストユニット３０に送信する（ステップＳ４０７）。ランプ点灯依頼を受信すると、バラストユニット３０は、光源ランプ１１を点灯させる（ステップＳ４０８）。そして、光源ランプ１１の点灯に成功すると、バラストユニット３０は、点灯成功応答をサブＣＰＵ２０ｂに送信する（ステップＳ４０９）。そして、サブＣＰＵ２０ｂは、ランプ点灯完了通知をメインＣＰＵ２０ａに送信する（ステップＳ４１０）。
【００６９】
本実施形態では、光源ランプ１１の点灯は２回目で成功しているが、点灯のリトライは、例えば、３回まで行うものとする。点灯のリトライを３回行っても光源ランプ１１の点灯ができなかった場合には、サブＣＰＵ２０ｂは、光源ランプ１１の点灯失敗を示すランプ点灯失敗通知をメインＣＰＵ２０ａに送信する。そして、サブＣＰＵ２０ｂは、報知部２２のＬＥＤによって、光源ランプ１１の点灯失敗を報知する。なお、点灯のリトライは３回に限定するものではない。
【００７０】
ランプ点灯完了通知を受信すると、メインＣＰＵ２０ａは、光源ランプ１１およびバラストユニット３０を監視するためのランプ監視要求をサブＣＰＵ２０ｂに送信する（ステップＳ４１１）。サブＣＰＵ２０ｂは、ランプ監視要求に対する応答をメインＣＰＵ２０ａに送信する（ステップＳ４１２）。
【００７１】
以降、サブＣＰＵ２０ｂは、光源ランプ１１およびバラストユニット３０の状態を監視するために、定期的に状態送信依頼をバラストユニット３０に送信し、その応答としてバラストユニット３０から、光源ランプ１１およびバラストユニット３０の状態を受信する。
図６では、サブＣＰＵ２０ｂは、状態送信依頼をバラストユニット３０に送信する（ステップＳ４１３）。そして、バラストユニット３０は、異常なし応答をサブＣＰＵ２０ｂに送信する（ステップＳ４１４）。一定の時間が経過した後、再度、サブＣＰＵ２０ｂは、状態送信依頼をバラストユニット３０に送信する（ステップＳ４１５）。そして、バラストユニット３０は、異常なし応答をサブＣＰＵ２０ｂに送信する（ステップＳ４１６）。このように、サブＣＰＵ２０ｂは、光源ランプ１１およびバラストユニット３０の状態監視を行い続ける。なお、一定の時間は、例えば１秒とするが、これに限定するものではない。
【００７２】
このように、プロジェクター１の光源ランプ１１の点灯を失敗した場合には、サブＣＰＵ２０ｂは、再度、ランプ点灯依頼をバラストユニット３０に送信して、ランプ点灯をリトライする。
【００７３】
上述した実施形態によれば、以下の効果が得られる。
（１）プロジェクター１において、サブＣＰＵ２０ｂはバラストユニット３０との間でＵＡＲＴ通信を行い、メインＣＰＵ２０ａはサブＣＰＵ２０ｂとの間でＵＡＲＴ通信を行う。これにより、サブＣＰＵ２０ｂが、メインＣＰＵ２０ａとのＵＡＲＴ通信とは独立してバラストユニット３０の制御を行うため、メインＣＰＵ２０ａの処理の負荷を低減することができる。そして、メインＣＰＵ２０ａは、バラストユニット３０の制御以外の他の制御処理に費やす時間を増やすことができるため、プロジェクター１の動作速度等の性能を向上することができる。
【００７４】
（２）プロジェクター１において、サブＣＰＵ２０ｂがバラストユニット３０からランプ異常応答を受信した場合、サブＣＰＵ２０ｂは、バラストユニット３０にランプ消灯依頼を送信する。これにより、光源ランプ１１に異常が発生した際には、光源ランプ１１を直ちに消灯することができる。例えば、メインＣＰＵ２０ａが他の処理を行っている場合でも、サブＣＰＵ２０ｂが光源ランプ１１を直ちに消灯することが可能になる。特に、光源ランプ１１として放電ランプを使用している場合には、放電ランプの劣化を防止するために、直ちに消灯することが望まれるため、有益である。
【００７５】
（３）プロジェクター１において、サブＣＰＵ２０ｂがバラストユニット３０からバラスト異常応答を受信した場合、サブＣＰＵ２０ｂは、バラストユニット３０にバラスト停止依頼を送信する。これにより、バラストユニット３０に異常が発生した際には、バラストユニット３０の動作を直ちに停止することができる。例えば、メインＣＰＵ２０ａが他の処理を行っている場合でも、サブＣＰＵ２０ｂがバラストユニット３０の動作を直ちに停止することが可能になる。特に、光源ランプ１１として放電ランプを使用している場合には、放電ランプの劣化を防止するために、直ちにバラストユニット３０を停止することが望まれるため、有益である。
【００７６】
（４）プロジェクター１において、サブＣＰＵ２０ｂがバラストユニット３０にバラスト停止依頼を送信した後、所定の時間（５秒）が経過しても、バラスト停止完了応答を受信しなかった場合に、サブＣＰＵ２０ｂは、電源回路２３にバラストユニット３０への電力の供給を停止させる。これにより、バラストユニット３０内の異常のため、通信によるバラストユニット３０の停止ができない場合にも、バラストユニット３０を停止することができる。特に、光源ランプ１１として放電ランプを使用している場合には、放電ランプの劣化を防止するために、直ちにバラストユニット３０を停止することが望まれるため、有益である。
【００７７】
（５）プロジェクター１において、サブＣＰＵ２０ｂが、バラストユニット３０にランプ点灯依頼を送信した後に、バラストユニット３０から点灯失敗応答を受信した場合、サブＣＰＵ２０ｂは、バラストユニット３０にランプ点灯依頼を再度送信する。これにより、光源ランプ１１の点灯に失敗した場合に、直ちに再点灯を試みる（リトライする）ことができる。例えば、メインＣＰＵ２０ａが他の処理を行っていても、サブＣＰＵ２０ｂが光源ランプ１１の再点灯を行うことができる。
【００７８】
（６）プロジェクター１では、サブＣＰＵ２０ｂがバラストユニット３０に対する制御を行う。これにより、メインＣＰＵ２０ａは、バラストユニット３０の制御を行う必要がなくなるため、メインＣＰＵ２０ａのソフトウェアの開発負荷を低減することができる。
【００７９】
なお、上述した実施形態に限定されず、種々の変更や改良等を加えて実施することが可能である。変形例を以下に述べる。
【００８０】
（変形例１）上記実施形態では、メインＣＰＵ２０ａとサブＣＰＵ２０ｂとの間、および、サブＣＰＵ２０ｂとバラストユニット３０との間は、ＵＡＲＴで接続されているものとしたが、通信方法はＵＡＲＴに限定するものではない。
【００８１】
（変形例２）上記実施形態では、サブＣＰＵ２０ｂは、ランプ異常応答を受信すると、ランプ消灯依頼をバラストユニット３０に送信するものとしたが、バラスト異常応答を受信した場合にも、ランプ消灯依頼をバラストユニット３０に送信してもよい。また、バラスト異常応答を受信すると、バラスト停止依頼をバラストユニット３０に送信するものとしたが、ランプ異常応答を受信した場合にも、バラスト停止依頼をバラストユニット３０に送信してもよい。
【００８２】
（変形例３）上記実施形態では、サブＣＰＵ２０ｂは、バラスト異常応答を受信すると、バラスト停止依頼をバラストユニット３０に送信するものとしたが、バラスト停止依頼を送信せずに、電源回路２３に指示を出してバラストユニット３０への電源供給を停止（遮断）させてもよい。
【００８３】
（変形例４）上記実施形態では、プロジェクター１を例にして説明しているが、光源ランプと、光源ランプを駆動するバラストユニットと、バラストユニットを制御するサブＣＰＵと、メインＣＰＵと、を備えた画像表示装置であれば適用することが可能である。例えば、透過型のスクリーンを一体的に備えたリアプロジェクター等に適用することも可能である。
【００８４】
（変形例５）上記実施形態では、光変調装置として、透過型の液晶ライトバルブ１２を用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００８５】
（変形例６）上記実施形態では、光源ランプ１１は、放電型の光源ランプ１１によって構成されているが、ＬＥＤ光源等の固体光源や、その他の光源を用いることもできる。この場合、光源駆動部は、その光源を駆動するための駆動回路とする。
【符号の説明】
【００８６】
１…プロジェクター、１０…画像投写部、１１…光源ランプ、１２…液晶ライトバルブ、１３…投写レンズ、１４…ライトバルブ駆動部、２０…制御部、２０ａ…メインＣＰＵ、２０ｂ…サブＣＰＵ、２１…操作受付部、２２…報知部、２３…電源回路、３０…バラストユニット、３１…ＥＭＩフィルター、３２…ダウンコンバーター、３３…インバーター回路、３４…イグナイター回路、３５…バラスト制御部、４０…画像信号入力部、４１…画像処理部。
【図１】
0005471507.tif 000002
【図２】
0005471507.tif 000003
【図３】
0005471507.tif 000004
【図４】
0005471507.tif 000005
【図５】
0005471507.tif 000006
【図６】
0005471507.tif 000007